(57)【要約】【課題】リモコン受信性能を確保しながら、小型化を実現した照明装置を提供する。【解決手段】可視光域と赤外光域を受光する少なくとも２つの受光手段と、少なくとも１つの前記受光手段に対し可視光域を遮断する特性を持った光学フィルタを備え、各々の受光信号を減算処理することで周囲の明るさ信号として出力する光検出装置において、前記可視光を遮断した受光信号を用い、赤外線からなるワイヤレス信号を受信する。前記可視光を遮断した受光信号を、高周波パルス信号と低周波のアナログ信号に分離する分離手段を備える。あるいは、前記可視光を遮断した受光信号のゲインを調整する増幅手段を備え、周囲の明るさ信号を用いてゲインの調整幅を可変させる。【選択図】図１
2008157789.tif 000002
【特許請求の範囲】
【請求項１】
可視光域と赤外光域を受光する少なくとも２つの受光手段と、少なくとも１つの前記受光手段に対し可視光域を遮断する特性を持った光学フィルタを備え、各々の受光信号を減算処理することで周囲の明るさ信号として出力する光検出装置において、前記可視光を遮断した受光信号を用い、赤外線からなるワイヤレス信号を受信することを特徴とする光検出装置。
【請求項２】
前記可視光を遮断した受光信号を、高周波パルス信号と前記パルス信号より低周波であるアナログ信号に分離する分離手段を備えたことを特徴とする請求項１記載の光検出装置。
【請求項３】
請求項１または２において、前記可視光を遮断した受光信号のゲインを調整する増幅手段を備え、前記周囲の明るさ信号を用いてゲインの調整幅を可変させることを特徴とする光検出装置。
【請求項４】
金属製のリードフレームと、前記リードフレームに固着された受光手段と、前記リードフレームに固着され前記受光手段に配線された減算処理手段とを備え、モールド樹脂で封止する１パッケージモジュールで構成したことを特徴とする請求項１〜３のいずれかに記載の光検出装置。
【請求項５】
金属製のリードフレームと、前記リードフレームに固着され半導体基板上に集積された受光手段と減算処理手段とを備え、モールド樹脂で封止する１チップモジュールで構成したことを特徴とする請求項１〜３のいずれかに記載の光検出装置。
【請求項６】
請求項１〜５のいずれかに記載の光検出装置と、光源を点灯させる点灯回路部と、光検出装置の受信信号に応じて点灯回路部の動作を制御する制御回路部とを備えた照明装置。
【請求項７】
請求項６記載の照明装置と、所定エリア内を照明する光源からなる照明負荷部とを備えた照明器具。
【発明の詳細な説明】
【技術分野】
【０００１】
本発明は、可視光域や赤外光域を検出する光検出装置、及びそれを用いた照明装置、照明器具に関するものである。
【背景技術】
【０００２】
従来から、通常の照明装置と防犯威嚇装置の両方の特徴を兼ね備えた、図９に示すような照明器具が提供されている（従来例１）。この照明器具は、器具本体Ａとリモコン送信機Ｂとから構成され、器具本体Ａは建物の外壁に取着されるベース部３３と、このベース部３３にアーム３４を介して首振自在に取着される灯具３５とを備えている。灯具３５は照明負荷部が内部に配置される筒状のセード３６を備え、灯具３５を所望の方向に向けることによって、照明負荷部の光をスポット光として照射することができる。
【０００３】
器具本体Ａは、図１０に示すように、防犯威嚇機能を備えた照明装置１が内蔵されている。照明装置１は、人の有無を検知する人体センサ部１１と、周囲の明るさを検出する明るさセンサ部１２と、後述する各部の動作を制御するマイクロコンピュータ（以下、マイコンと呼ぶ）１３１を備える制御回路部１３と、制御回路部１３からの点灯制御信号を受けて照明負荷部２を点灯させる点灯回路部１４と、制御回路部１３からの鳴動信号を受けアラーム音を出力する警報出力部１５と、外部から赤外線で送信された信号を受信するリモコン受光モジュール１６１からなる受光部１６と、白熱電球からなる照明負荷部２とから構成される。
【０００４】
人体センサ部１１は、器具本体Ａの周囲の検知エリアにおいて人から放射される赤外線を検知することで人の有無を検知する焦電型センサ１１１とトランジスタ１１２からなる。明るさセンサ部１２は、周囲の明るさを検出するフォトＩＣダイオード１２１が直流電圧Ｖｄｄに対して逆電圧を印加する方向に接続され、前記フォトＩＣダイオードのアノード側に直列接続される負荷抵抗１２２とで構成される。
【０００５】
ここで、明るさセンサ部１２に用いられるフォトＩＣダイオード１２１は、図１１に示すように、２つのフォトダイオード１２１ａ、１２１ｂのうち１つのみが可視光を遮断する特性を持った光学フィルタ１２１ｃを備え、図１２に示すような分光感度特性をそれぞれ有している。検出した光信号をオペアンプ１２１ｅ、１２１ｄにてそれぞれ増幅し、さらにオペアンプ１２１ｆでそれらを差動増幅することで、ほぼ可視光域にのみ感度を持たせている。周囲の明るさに応じて発生するフォトＩＣダイオード１２１の光電流出力は、負荷抵抗１２２に流れ、明るさセンサ信号電圧として制御回路部１３内のマイコン１３１に入力されるのである。上記のように２つの受光手段を用いて可視光域を選択的に検出する従来技術は、特開平８−３３０６２１号公報で開示されている。
【０００６】
また、受光部１６は図１３に示すように、フォトダイオード１６１ａに可視光を遮断する特性を持った光学フィルタ１６１ｂを組合せ、図１４（ａ）に示すような分光感度特性を有している。検出した光信号を、強い光や信号が入力されたとき回路の許容値を越えないよう受光プリアンプＩＣ１６１ｃ内のゲイン調整部１６１ｄにて自動的にゲイン調整しながらオペアンプで増幅する。また、リモコン信号の副搬送波として、約４０ｋＨｚの高周波信号を使用しており、ＢＰＦ（バンドパスフィルタ）にて電気的な周波数選択を行うことにより、外乱を除去している。なお、上記のような光学的、電気的特性を備えた一体型のリモコン受光モジュール１６１を使用することが一般的に知られている。
【０００７】
一方、リモコン送信機Ｂは、器具本体Ａの動作モードを防犯モード、通常モード、連続点灯モードに選択切り替え可能なスイッチ２１ａ，２２ａ，２３ａを有しており、何れかのスイッチを押操作すると、スイッチに応じて赤外光からなるリモコン信号Ｓが器具本体Ａへ送信されるのである。リモコン送信機Ｂの光源としては、図１４（ｂ）に示すような分光特性を有するＧａＡｓ赤外発光ダイオードを用いており、約９５０ｎｍの発光スペクトルを持っている。
【０００８】
この従来例１の照明器具の使い方として例えば、外出して留守にするときは、設定時間以上人を検知すると不審者と判断し、フラッシュ光とアラーム音で警告する「防犯モード」に切り替えておくことで、防犯効果が期待できる。普段は、暗くなると低輝度点灯、人を検知すると高輝度点灯する「通常モード」に切り替えておくことで、便利でかつ省エネ効果が期待できる。人体センサ部１１に関係なくずっと点けておく時には「連続点灯モード」にすることができ、３つの点灯モードを手元のリモコン送信機Ｂにて簡単に切り替え可能としたことで、通常の照明装置と防犯威嚇装置の両方を使い分けることができるのである。
【０００９】
ここで、居住者が外出時に点灯モードを設定する場合、リモコン送信機Ｂをそのまま携帯することを考慮し、リモコン送信機Ｂの形状をコンパクトなカードサイズにしている。そのため、高出力な赤外発光ダイオードを用いることができず、大きな送信能力が期待できないため、ベース部３３の下部に必要な穴を設け、リモコン受光部１６を器具外面に露設して受信感度を大きくすることで屋外使用による悪条件の下でも使用上問題のないリモコン受信性能を確保している。
【００１０】
しかしながら、従来例１の照明器具はベース部３３の下部に穴を設け、外郭材を備えたリモコン受光部１６を器具外面に露設した構造としているため、ベース部３３そのものが大型化し、器具の外観や意匠性を損なってしまう問題がある。
【００１１】
そのため、特開２００５−５０６６０号公報（従来例２）では、人体センサ部１１と明るさセンサ部１２およびリモコン受光部１６を同一プリント基板上に搭載し、光透過性の高い、例えばポリエチレン樹脂からなる外郭材に収納して構成することで、リモコン受信性能を向上した照明装置が提案されている。
【特許文献１】特開平８−３３０６２１号公報
【特許文献２】特開２００５−５０６６０号公報（実施形態５）
【発明の開示】
【発明が解決しようとする課題】
【００１２】
上述した特許文献２の技術では、リモコン受信性能を確保するために設ける器具外面の穴が不要なため外観や意匠性を損なわない反面、プリント基板の大きさは人体センサ部と明るさセンサ部およびリモコン受光部がそれぞれ実装できる面積が必要であり、結果的に光透過性の高い外郭材が大型化し、逆に外観や意匠性を損なってしまう問題が生じる。
【００１３】
本発明は上記問題点に鑑みて為されたものであり、その目的とするところは、使用上問題のないリモコン受信性能を確保しながら、小型化を実現し外観や意匠性を損なわない照明装置を提供することにある。
【課題を解決するための手段】
【００１４】
請求項１の発明は、上述の目的を達成するために、図３に示すように、可視光域や赤外光域を受光する少なくとも２つの受光手段１７１ａ，１７１ｂと、少なくとも１つの前記受光手段１７１ｂに対し、可視光域を遮断する特性を持った光学フィルタ１７１ｃを備え、各々の受光信号を減算処理することで周囲の明るさ信号として出力する光検出装置において、前記可視光を遮断した受光信号を用い、赤外線からなるワイヤレス信号を受信することを特徴とする。
【００１５】
請求項２の発明は、請求項１記載の光検出装置において、前記可視光を遮断した受光信号を、高周波パルス信号と前記パルス信号より低周波であるアナログ信号に分離する分離手段を備えたことを特徴とする。
【００１６】
請求項３の発明は、請求項１または２記載の光検出装置において、前記可視光を遮断した受光信号のゲインを調整する増幅手段を備え、前記周囲の明るさ信号を用いてゲインの調整幅を可変することを特徴とする。
【００１７】
請求項４の発明は、請求項１〜３のいずれかに記載の光検出装置において、金属製のリードフレームと、前記リードフレームに固着された受光手段と、前記リードフレームに固着され前記受光手段に配線された減算処理手段とを備え、モールド樹脂で封止する１パッケージモジュールで構成したことを特徴とする。
【００１８】
請求項５の発明は、請求項１〜３のいずれかに記載の光検出装置において、金属製のリードフレームと、前記リードフレームに固着され半導体基板上に集積された受光手段と減算処理手段とを備え、モールド樹脂で封止する１チップモジュールで構成したことを特徴とする。
【００１９】
請求項６の発明は、請求項１〜５のいずれかに記載の光検出装置と、光源を点灯させる点灯回路部と、光検出装置の受信信号に応じて点灯回路部の動作を制御する制御回路部とを備えた照明装置である。
【００２０】
請求項７の発明は、請求項６記載の照明装置と、所定エリア内を照明する光源からなる照明負荷部を備えた照明器具である。
【発明の効果】
【００２１】
請求項１の発明によれば、可視光域や赤外光域を受光する少なくとも２つの受光手段と、少なくとも１つの前記受光手段に対し、可視光域を遮断する特性を持った光学フィルタを備え、各々の受光信号を減算処理することで周囲の明るさ信号として出力し、前記可視光を遮断した受光信号を用い、赤外線からなるワイヤレス信号を受信するため、周囲の明るさと赤外線信号の検出を兼ね備えた光検出装置を提供できる。
【００２２】
請求項２の発明によれば、可視光を遮断した受光信号を、高周波パルス信号と前記パルス信号より低周波であるアナログ信号に分離する分離手段を備えたため、相互干渉を抑えた受信が可能になり、受信精度が向上する効果がある。
【００２３】
請求項３の発明によれば、可視光を遮断した受光信号のゲインを調整する増幅手段を備え、前記周囲の明るさ信号を用いてゲインの調整幅を可変させるため、ゲインを必要以上に上げることがなく回路消費電流を抑えることができる効果がある。
【００２４】
請求項４の発明によれば、金属製のリードフレームと、前記リードフレームに固着された受光手段と、前記リードフレームに固着され前記受光手段に配線された減算処理手段とを備え、モールド樹脂で封止する１パッケージモジュールで構成したため、小型化が実現できる。
【００２５】
請求項５の発明によれば、金属製のリードフレームと、前記リードフレームに固着され半導体基板上に集積された受光手段と減算処理手段とを備え、モールド樹脂で封止する１チップモジュールで構成したため、ノイズ低減と小型化が実現できる。
【００２６】
請求項６の発明によれば、請求項１〜５のいずれかに記載の光検出装置と、光源を点灯させる点灯回路部と、光検出装置の受信信号に応じて点灯回路部の動作を制御する制御回路部とを備えたため、周囲の明るさと外部からの赤外線信号の受信機能を兼ね備えた照明装置を、部品削減に伴う小型化とともに実現でき、外観や意匠性を損なわない効果がある。
【００２７】
請求項７の発明によれば、請求項６記載の照明装置と、所定エリア内を照明する光源からなる照明負荷部とを備えるため、請求項６記載の照明装置と同様の効果を奏する照明器具を提供することができる。
【発明を実施するための最良の形態】
【００２８】
以下、本発明の実施形態を図面に基づいて説明する。
（実施形態１）
本実施形態の照明器具は、図１（ａ）のブロック図に示すように、器具本体Ａ及びリモコン送信器Ｂから構成される。器具本体Ａは、防犯威嚇機能を備えた照明装置１と、白熱電球からなる照明負荷部２とから構成される。照明装置１は、周囲の人の有無を検知する人体センサ部１１と、防犯及び照明の制御を行う制御回路部１３と、制御回路部１３からの点灯制御信号を受けて照明負荷部２を点灯させる点灯回路部１４と、制御回路部１３からの鳴動信号を受けアラーム音を出力する警報出力部１５と、光検出部１７とから構成される。光検出部１７は、図１（ｂ）の要部回路図に示すように、外部から赤外線で送信された信号を受信するとともに、周囲の明るさを検出する、光検出モジュール１７１を備える。出力αは赤外線のワイヤレス信号の受信出力、出力βは周囲の明るさの検出出力である。人体センサ部１１は、器具本体Ａの周囲の検知エリアにおいて人から放射される赤外線を検知することで人の有無を検知する焦電型センサ１１１とトランジスタ１１２からなる。制御回路部１３は、人体センサ部１１と光検出部１７の出力を入力して点灯回路部１４や警報出力部１５の動作を制御するマイクロコンピュータ１３１（以下、マイコンと呼ぶ）を備えている。
【００２９】
リモコン送信機Ｂは、従来例と同様であり、図９（ｂ）に示すように、器具本体Ａの動作モードを防犯モード、通常モード、連続点灯モードに選択切り替え可能なスイッチ２１ａ，２２ａ，２３ａと、何れかのスイッチを押操作するとスイッチに応じた赤外光からなるワイヤレス信号Ｓで動作モード信号を送信する信号送信部と、リモコン送信器Ｂの各部に動作電源を供給する電源部（図示せず）とから構成される。
【００３０】
ここで、光検出部１７に用いられる光検出モジュール１７１は、図３に示すように、２つのフォトダイオード１７１ａ，１７１ｂのうち１つのみが可視光を遮断する特性を持った光学フィルタ１７１ｃを備え、それぞれの光信号をオペアンプ１７１ｅ，１７１ｄにて増幅し、更にオペアンプ１７１ｆにて差動増幅することで周囲の明るさを検出するとともに、可視光を遮断した光信号のみを用い、上記とは別のオペアンプ１７１ｇにて増幅するなどしてパルス信号に復調し、リモコン信号Ｓを受信するのである。
【００３１】
この照明器具の動作を図２のタイミングチャートを参照して説明する。リモコン送信機Ｂにて器具本体Ａの点灯モードが通常モードに切り替えされた状態において、人体センサ部１１にて検知された出力信号がマイコン１３１に入力されたとき、光検出モジュール１７１の出力β信号が所定のしきい値よりも高ければ（図２のａおよびｂ点）、マイコン１３１により消灯制御と判断され、照明負荷部２は消灯のままとなる。
【００３２】
また、図２のｃ点時のように、人体センサ部１１にて検知された出力信号がマイコン１３１に入力されたとき、光検出モジュール１７１の出力β信号が所定のしきい値よりも低ければ、マイコン１３１は照明負荷部２を点灯させると判断し、制御回路部１３より出力される点灯制御信号を受けた点灯回路部１４によって照明負荷部２が所定時間点灯し、所定時間の経過後に消灯する。
【００３３】
また、図２のｄ点時のように、リモコン送信機Ｂにて連続点灯モードスイッチ２３ａを押操作されると、光検出モジュール１７１の出力αから復調されたパルス信号をマイコン１３１が判別し、点灯モードを連続点灯モードに切り替え、照明負荷部２は人体センサ部１１の出力信号に関係なく連続点灯されるのである。
【００３４】
図３を参照し、光検出部１７がリモコン送信機Ｂから赤外線で送信された信号Ｓを受信し、周囲の明るさを検出する動作について詳しく説明する。リモコン送信器Ｂにて約９５０ｎｍの発光スペクトルを持ったリモコン信号Ｓが送信されると、可視光を遮断する特性を持った光学フィルタ１７１ｃを備えたフォトダイオード１７１ｂが光信号を受光し、ダイオード１７１ｉを介してオペアンプ１７１ｇの非反転入力端子に入力される。入力信号は増幅抵抗１７１ｊおよび１７１ｋにより（１＋Ｒ１７１ｋ／Ｒ１７１ｊ）倍に増幅されるとともに、ゲイン調整部１７１ｍにより回路の許容値を越えないよう自動的にゲインが微調整される。増幅された受光信号はＢＰＦにて約４０ｋＨｚの副搬送波を持つリモコン信号のみが取り出され、検波器とコンパレータを介して出力αよりパルス信号に復調されるのである。
【００３５】
図４に光検出モジュール１７１の入出力信号であるリモコン信号Ｓと出力α信号を示す。出力α信号は制御回路部１３内のマイコン１３１に入力され、マイコン１３１では防犯モード、通常モード、連続点灯モードの各点灯モード毎に割り当てられた送信コードのパルス信号であるかどうかを判別し、点灯モードを切り替えるのである。なお、約４０ｋＨｚの高周波であるリモコン信号を確実に受光するため、応答速度の速いフォトダイオード１７１ｂを用い、かつ受光信号の上昇、下降時間が１μｓｅｃ以下となるよう負荷抵抗１７１ｎの定数を設定すると良い。
【００３６】
一方、フォトＩＣダイオード１７１ａは周囲の明るさに応じて光信号を発生し、ローパスフィルタ１７１ｈを介してオペアンプ１７１ｅにて増幅される。このとき、フォトＩＣダイオード１７１ｂの光信号も同様にダイオード１７１ｉ及びローパスフィルタ１７１ｈを介してオペアンプ１７１ｄにて増幅される。ここで、ダイオード１７１ｉはオペアンプ１７１ｇで増幅される信号、つまりリモコン信号Ｓと分離するためのものであり、ローパスフィルタ１７１ｈは、約４０ｋＨｚの高周波であるリモコン信号を除去する役割を果たす。オペアンプ１７１ｄ、１７１ｅにてそれぞれ増幅された信号は、さらにオペアンプ１７１ｆで差動増幅され、ほぼ可視光域にのみ感度を持った光電流が出力される。出力βから負荷抵抗１７２に電流が流れ、明るさセンサ信号電圧として制御回路部１３内のマイコン１３１のＡ／Ｄ変換ポート（図１（ｂ）参照）に入力されるのである。
【００３７】
次に、光検出モジュール１７１の構造及び配置について図８を参照して説明する。金属製のリードフレーム上にフォトダイオードチップと、オペアンプなどで構成される信号処理ＩＣチップをダイボンドし、金線でワイヤボンドして配線した後、エボキシ樹脂でモールドされた１パッケージの光検出モジュール１７１の構造である。配置は図８（ａ）のように焦電型センサ１１１とともにパターン配線されたプリント基板１８上に実装され、外郭材１９２に取り付けされた後、ポリエチレン樹脂からなる外郭材１９１と組み合わされ、略球体に構成される。外郭材１９１は中央付近に複数の単焦点レンズを環状に配列して備えており、器具本体Ａの周囲のエリアにおいて赤外線を集光するためのレンズの役割を有している。そして、図８（ｂ）のように外郭材１９１が器具本体Ａの下方の向きになるようベース部３３内に配置されるのである。
【００３８】
このように、光検出部１７を光透過性の高い外郭材１９１に収納して構成することで、リモコン受信性能を向上した照明装置を器具外面の穴を設けず実現することができ、また光検出モジュール１７１を１パッケージ化したことで、部品削減に伴うプリント基板１８の小型化が実現でき、つまり照明器具の外観や意匠性を損なわない効果がある。
【００３９】
（実施形態２）
図５は実施形態２の光検出部１７を示す。なお、その他構成要素は実施形態１と同様であるので、共通する構成要素には同一の符号を付して、その説明は省略する。
【００４０】
リモコン送信器Ｂにて約９５０ｎｍの発光スペクトルを持ったリモコン信号Ｓが送信されると、可視光を遮断する特性を持った光学フィルタ１７１ｃを備えたフォトダイオード１７１ｂが光信号を受光し、ダイオード１７１ｉを介してオペアンプ１７１ｇの非反転入力端子に入力される。入力信号は増幅抵抗１７１ｊおよび１７１ｋにより（１＋Ｒ１７１ｋ／Ｒ１７１ｊ）倍に増幅されるとともに、ゲイン調整部１７１ｍにより回路の許容値を越えないよう自動的にゲインが微調整される。増幅された受光信号はＢＰＦにて約４０ｋＨｚの副搬送波を持つリモコン信号のみが取り出され、検波器とコンパレータを介して出力αよりパルス信号に復調されるのである。
【００４１】
光検出モジュール１７１の出力α信号は制御回路部１３内のマイコン１３１に入力され、マイコン１３１では防犯モード、通常モード、連続点灯モードの各点灯モード毎に割り当てられた送信コードのパルス信号であるかどうかを判別し、点灯モードを切り替えるのである。なお、約４０ｋＨｚの高周波であるリモコン信号を確実に受光するため、応答速度の速いフォトダイオード１７１ｂを用い、かつ受光信号の上昇、下降時間が１μｓｅｃ以下となるよう負荷抵抗１７１ｏの定数を設定すると良い。
【００４２】
一方、フォトＩＣダイオード１７１ａは周囲の明るさに応じて光信号を発生し、オペアンプ１７１ｅにて増幅される。このとき、フォトＩＣダイオード１７１ｂの光信号も同様にダイオード１７１ｉを介してオペアンプ１７１ｄにて増幅される。ここで、ダイオード１７１ｉはオペアンプ１７１ｇで増幅される信号、つまりリモコン信号Ｓと分離するためのものである。オペアンプ１７１ｄ、１７１ｅにてそれぞれ増幅された信号は、さらにオペアンプ１７１ｆで差動増幅され、ほぼ可視光域にのみ感度を持った光電流が出力される。出力βから負荷抵抗１７２に電流が流れ、明るさセンサ信号電圧として制御回路部１３内のマイコン１３１のＡ／Ｄ変換ポートに入力されるのである。なお、約４０ｋＨｚの高周波であるリモコン信号が送信された場合の干渉影響を少なくするため、負荷抵抗１７１ｎの定数を負荷抵抗１７１ｏの定数に比べ充分大きくすると良い。
【００４３】
ここで、光検出部１７を構成する光検出モジュール１７１の構造を、金属製のリードフレーム上にフォトダイオードチップとオペアンプなどで構成される信号処理ＩＣチップをダイボンドし、金線でワイヤボンドして配線した後、エポキシ樹脂でモールドされた１パッケージモジュールとする。
【００４４】
本実施形態によれば、実施形態１の効果に加え、より簡単な構成でリモコン信号と周囲の明るさ信号の相互干渉を防ぐことができる光検出装置、及びそれを用いた照明装置、照明器具を提供できる。
【００４５】
（実施形態３）
図６は実施形態３の光検出部１７を示す。なお、その他の構成要素は実施形態１と同様であるので、共通する構成要素には同一の符号を付して、その説明は省略する。また、２つのフォトダイオード１７１ａ、１７１ｂ及びそのうち１つのみが可視光を遮断する特性を持った光学フィルタ１７１ｃを備え、それぞれローパスフィルタ１７１ｈを介して光信号をオペアンプ１７１ｅ，１７１ｄにて増幅し、更にオペアンプ１７１ｆにて差動増幅することで周囲の明るさを出力βとして検出する動作は実施形態１と同様である。
【００４６】
リモコン送信器Ｂにて約９５０ｎｍの発光スペクトルを持ったリモコン信号Ｓが送信されると、可視光を遮断する特性を持った光学フィルタ１７１ｃを備えたフォトダイオード１７１ｂが光信号を受光し、ダイオード１７１ｉを介してオペアンプ１７１ｇの非反転入力端子に入力される。入力信号は増幅抵抗１７１ｊおよび１７１ｋにより（１＋Ｒ１７１ｋ／Ｒ１７１ｊ）倍に増幅されるとともに、ゲイン調整部１７１ｍにより回路の許容値を越えないよう自動的にゲインが微調整される。更にこのとき、ゲイン調整部１７１ｍでは上記検出された周囲の明るさレベルをオペアンプ１７１ｆの出力βからフィードバックし、レベルが低くなるほどゲインの調整を更に減衰させる。したがって、周囲が明るいときはフォトダイオード１７１ｂの出力が高くなるほど回路の許容値を越えない程度にゲインを下げながら、高感度で信号を受光する従来と同様の動作であるが、周囲が暗いときはノイズ源が少ないと判定し、ゲイン調整を周囲が明るいときに比べて小さくするのである。図７にフォトダイオード１７１ｂの出力に対するオペアンプ１７１ｇのゲイン特性を示す。以降の動作は実施形態１と同様である。
【００４７】
本実施形態によれば、実施形態１の効果に加え、ノイズ源である赤外光成分を多く含む白熱電球からなる照明負荷が点灯しているとき、または昼間の太陽光があるときにリモコン信号Ｓを受光する際には、周囲の明るさレベルが高く、高感度を維持するため、リモコン信号Ｓの到達距離を従来と同様に確保できる一方、照明負荷が消灯しているとき、および夜間の太陽光がないときなどノイズ源が少ないときにリモコン信号Ｓを受光する際には、周囲の明るさレベルが低く、ゲイン調整を減衰させるため、ゲインを必要以上に上げることがなく回路消費電流を抑えることができる。また、周囲の明るさレベルにてノイズ源の有無を判別し、ノイズ源が少ないときは感度を下げるようゲインの調整幅を可変しているため、結果的にノイズ源の有無によるリモコン到達距離のばらつきを抑えることができる。
【００４８】
なお、実施形態１〜３において、光検出部１７を、１パッケージモジュールの構造として説明したが、これに限定する趣旨のものではなく、半導体基板上にフォトダイオードからなる受光素子とオペアンプなどからなる回路素子を集積し、回路誤動作を防止するためアルミニウム膜などを回路素子に対面した構成とすれば、ノイズ低減と小型化を兼ね備えた光検出装置を提供できてなお良い。また、受光素子としてフォトダイオードを用いて説明したが、これに限定する趣旨のものではなく、受光素子としてフォトトランジスタを利用しても良い。また、可視光を遮断する特性を持った光学フィルタを用いて説明したが、これに限定する趣旨のものではなく、例えばモールド樹脂に波長が８５０ｎｍ程度よりも短い光を吸収する材料などを混合して可視光を遮断し、フォトダイオード１７１ｂに対面した構成としても良い。
【００４９】
実施形態１〜３では、照明負荷部２として白熱電球を用いて説明したが、これに限定する趣旨のものではなく、電球型の蛍光灯など放電現象に起因して発光する全ての発光手段を含むものであり、光による威嚇効果を高めるためにキセノンランプや発光ダイオードを用いても良い。
【図面の簡単な説明】
【００５０】
【図１】実施形態１の照明器具を示し、（ａ）は全体構成を示すブロック図、（ｂ）は人体センサ部、制御回路部、光検出部を示す回路図である。
【図２】同上の動作を示すタイムチャートである。
【図３】同上の光検出部の回路図である。
【図４】同上の光検出部の入出力信号を示す波形図である。
【図５】実施形態２の光検出部の回路図である。
【図６】実施形態３の光検出部の回路図である。
【図７】実施形態３の光検出部のフォトダイオード出力に対するオペアンプのゲイン特性図である。
【図８】本発明の照明装置の構造配置を示し、（ａ）はセンサ部の分解斜視図、（ｂ）は器具本体下部の外観を示す斜視図である。
【図９】従来の照明器具の外観を示し、（ａ）は器具本体の外観を示す斜視図、（ｂ）はリモコン送信機の正面図である。
【図１０】従来の照明器具を示し、（ａ）は全体構成を示すブロック図、（ｂ）は人体センサ部、明るさセンサ部、制御回路部、受光部を示す回路図である。
【図１１】従来例に用いる明るさセンサ部の回路図である。
【図１２】従来例に用いる明るさセンサ部のフォトダイオードの分光感度特性図である。
【図１３】従来例に用いる受光部の回路図である。
【図１４】従来例に用いる受発光素子の分光特性図であり、（ａ）はフォトダイオードの分光感度特性図、（ｂ）はリモコン送信機の赤外発光ダイオードの分光出力特性図である。
【符号の説明】
【００５１】
１７      光検出部
１７１    光検出モジュール
１７１ａ  信号用フォトダイオード
１７１ｂ  補正用フォトダイオード
１７１ｃ  光学フィルタ
【図１】
2008157789.tif 000003
【図２】
2008157789.tif 000004
【図３】
2008157789.tif 000005
【図４】
2008157789.tif 000006
【図５】
2008157789.tif 000007
【図６】
2008157789.tif 000008
【図７】
2008157789.tif 000009
【図８】
2008157789.tif 000010
【図９】
2008157789.tif 000011
【図１０】
2008157789.tif 000012
【図１１】
2008157789.tif 000013
【図１２】
2008157789.tif 000014
【図１３】
2008157789.tif 000015
【図１４】
2008157789.tif 000016